(57)【要約】【課題】発光ユニットの発光効率および使用寿命を向上させるＬＥＤ信号ランプ光源構造を提供する。【解決手段】定温板を含み、前記定温板は、高導熱性を有する円盤体であり、定温板上には、発光ユニットを設け、また、定温板下には中空導熱筒を接続し、前記導熱筒周縁には複数のヒートシンク片から組成されるヒートシンクを設け、また、前記定温板上方には、円形蓋体を有し、前記定温板を被覆することに用い、同時に前記蓋体の中央には、反射溝を開設し、前記発光ユニットを貫通させることに用い、最後に、前記蓋体上に透明被覆体を設け、前記発行ユニット上に被覆し、前記ヒートシンクのヒートシンク効果により、発光ユニットが発生する動作熱を排出し、単一発光ユニットを利用し信号発光源とするＬＥＤ信号ランプ光源構造。【選択図】図１
0003132455.tif 000002
【実用新案登録請求の範囲】
【請求項１】
ヒートシンク型ＬＥＤ信号ランプ発光源構造であって、
高導熱の材質から構成される定温板１と、
前記定温板１上に設置される発光ユニット２と、
中空体を呈し、前記定温板１下方に設置され、且つ前記定温板１に接続する導熱筒３であり、前記導熱筒３の下端面上に電極コネクタ３２を設け、発光ユニット２と電気接続する導熱筒３と、
導熱筒３周縁上を囲い、且つ導熱筒３と接続するヒートシンク４と、
定温板１と接続する蓋体５であり、前記蓋体５の中央位置に反射溝５１を設け、前記発光ユニット２を収容することに用いる蓋体５と、
前記蓋体５上に設ける被覆体６であり、且つ前記発光ユニット２を被覆体６内部に収容する被覆体６と
を含むヒートシンク型ＬＥＤ信号ランプ発光源構造。
【請求項２】
前記定温板上に更に貫通孔１１を有する請求項１記載のヒートシンク型ＬＥＤ信号ランプ発光源構造。
【請求項３】
前記発光ユニット２が、発光ダイオードである請求項１記載のヒートシンク型ＬＥＤ信号ランプ発光源構造。
【請求項４】
前記導熱筒３の一端上に環形凸板３１を設け、前記凸板３１とヒートシンク４が相互に接続する請求項１記載のヒートシンク型ＬＥＤ信号ランプ発光源構造。
【請求項５】
前記ヒートシンク４が、複数のヒートシンク片４１から組成される請求項１記載のヒートシンク型ＬＥＤ信号ランプ発光源構造。
【請求項６】
任意の２つのヒートシンク片４１間には、隙間４２が形成される請求項１記載のヒートシンク型ＬＥＤ信号ランプ発光源構造。
【請求項７】
前記ヒートシンク４上部は、陥没空間４３を形成し、前記定温板１を収容し、且つ前記ヒートシンク４は、定温板１周縁と接続する請求項４記載のヒートシンク型ＬＥＤ信号ランプ発光源構造。
【請求項８】
前記発光ユニット２と電極コネクタ３２は、導線７を経由し電気接続する請求項１記載のヒートシンク型ＬＥＤ信号ランプ発光源構造。
【請求項９】
前記反射溝５１周縁上には、更に、反射面５１１を有する請求項１記載のヒートシンク型ＬＥＤ信号ランプ発光源構造。 
【考案の詳細な説明】
【技術分野】
【０００１】
本考案は、信号ランプに関し、特に、発光ダイオードが発光源である信号ランプ構造に関する。
【背景技術】
【０００２】
一般に道路の曲がり角に設置される信号ランプは、道路を利用する人が、一定時間において、進行または停止するためであり、道路交通の円滑と安全を確保し、あるべき交通秩序を保障し、交通渋滞、さらには、交通事故の発生率を低減させる。
【０００３】
よく見る交通信号は、曲がり角の三色交通信号ランプであり、赤、黄、緑の三色を通し、道路を利用する人に前進または停止の時を知らせ、一般に公知の三色信号ランプは、白色電球に赤黄緑等の有色レンズを合わせて利用するか、または本体が赤黄緑の三色の色調を発するランプを利用し、ランプカバーにより保護し、信号ランプの発光構造を組み合わせてなるが、公知の電球の発光を利用した信号ランプ構造は、白昼に太陽光の遮蔽を受け易く、または雨の時も雨の影響を受け易く、道路を利用する人の信号ランプの色に対する判断に直接影響を及ぼし、交通事故の発生率を増加させ易い。
【０００４】
従来の電球が発生する問題を解決するために、公知技術では、発光ダイオード（ＬＥＤ）を利用して従来の電球に置き換え、信号ランプの発光源としてなり、発光ダイオードの光源は、低電力消耗で発光効率が高く、使用寿命が長いという長所を有し、最近に技術の絶え間ない進歩もあり、その発光明度も更に向上し、これに鑑みて、発光ダイオード光源を利用し、従来の電球に置き換えることは、節電および長時間使用ができるだけではなく、更に異なる天候状態の下でも高度な識別性を有し、道路を利用する人が判断を誤って事故を発生する確率を大幅に減少させることができる。
【０００５】
現在公知であるＬＥＤ信号ランプ構造中、多数の発光源構造は、１２５個から１８８個の発光ダイオードにより組成され、発光ダイオードが動作する過程中、大量の熱を発生し、但し、一般の信号ランプは発光ダイオードに対し特別にヒートシンク構造を有していないので、信号構造内部において大量の熱が発生および累積し、信号ランプライブに温度上昇効果を発生させ、発光ダイオードのショートを引き起こし、信号光源を弱めまたは動作できなくし、道路を利用する人の判断および交通安全に影響を及ぼし、以後の公知構造においてアルミ基板を利用し複数の発光ダイオードに散熱効果を与えても、その散熱効果には限りがあり、信号ランプ内部の散熱の問題を改善することができず、ＬＥＤ構造が理想とするところとならない。
【特許文献１】特開２０００−２５２５２５号公報
【考案の開示】
【考案が解決しようとする課題】
【０００６】
上記の欠陥に対して、本考案は、ヒートシンク構造を有するＬＥＤ信号ランプ光源構造を提供し、単一発光ユニットを信号ランプ発光源とし、同時に前記発光ユニット周辺にヒートシンク構造を設置し、発光ユニットが発生する動作熱を外部に排出し、単一の発光ユニットが、公知の複数発光ユニットに置き換えるだけではなく、更にヒートシンク構造の設計により、前記発光ユニットの発光効率および使用寿命を向上させることを目的とする。
【課題を解決するための手段】
【０００７】
上記の目的を達成するため、本考案が提供するＬＥＤ信号ランプ光源構造は、定温板を含み、前記定温板は、高導熱性を有する円盤体であり、定温板上には、発光ユニットを設け、また、定温板下には中空導熱筒を接続し、前記導熱筒周縁には複数のヒートシンク片から組成されるヒートシンクを設け、また、前記定温板上方には、円形蓋体を有し、前記定温板を被覆することに用い、同時に前記蓋体の中央には、反射溝を開設し、前記発光ユニットを貫通させることに用い、最後に、前記蓋体上に透明被覆体を設け、前記発行ユニット上に被覆し、前記ヒートシンクのヒートシンク効果により、発光ユニットが発生する動作熱を排出し、単一発光ユニットを利用し信号発光源とするだけではなく、前記発光ユニットの発光効率および使用寿命を向上させる。
【０００８】
すなわち、請求項１の考案は、ヒートシンク型ＬＥＤ信号ランプ発光源構造であって、高導熱の材質から構成される定温板１と、前記定温板１上に設置される発光ユニット２と、中空体を呈し、前記定温板１下方に設置され、且つ前記定温板１に接続する導熱筒３であり、前記導熱筒３の下端面上に電極コネクタ３２を設け、発光ユニット２と電気接続する導熱筒３と、導熱筒３周縁上を囲い、且つ導熱筒３と接続するヒートシンク４と、定温板１と接続する蓋体５であり、前記蓋体５の中央位置に反射溝５１を設け、前  記発光ユニット２を収容することに用いる蓋体５と、前記蓋体５上に設ける被覆体６であり、且つ前記発光ユニット２を被覆体６内部に収容する被覆体６とを含むヒートシンク型ＬＥＤ信号ランプ発光源構造である。
【０００９】
請求項２の考案は、前記定温板上に更に貫通孔１１を有する請求項１記載のヒートシンク型ＬＥＤ信号ランプ発光源構造である。
請求項３の考案は、前記発光ユニット２が、発光ダイオードである請求項１記載のヒートシンク型ＬＥＤ信号ランプ発光源構造である。
請求項４の考案は、前記導熱筒３の一端上に環形凸板３１を設け、前記凸板３１とヒートシンク４が相互に接続する請求項１記載のヒートシンク型ＬＥＤ信号ランプ発光源構造である。
請求項５の考案は、前記ヒートシンク４が、複数のヒートシンク片４１から組成される請求項１記載のヒートシンク型ＬＥＤ信号ランプ発光源構造である。
請求項６の考案は、任意の２つのヒートシンク片４１間には、隙間４２が形成される請求項１記載のヒートシンク型ＬＥＤ信号ランプ発光源構造である。
請求項７の考案は、前記ヒートシンク４上部は、陥没空間４３を形成し、前記定温板１を収容し、且つ前  記ヒートシンク４は、定温板１周縁と接続する請求項４記載のヒートシンク型ＬＥＤ信号ランプ発光源構造である。
請求項８の考案は、前記発光ユニット２と電極コネクタ３２は、導線７を経由し電気接続する請求項１記載のヒートシンク型ＬＥＤ信号ランプ発光源構造である。
請求項９の考案は、前記反射溝５１周縁上には、更に、反射面５１１を有する請求項１記載のヒートシンク型ＬＥＤ信号ランプ発光源構造である。
【考案の効果】
【００１０】
本考案が提供するＬＥＤ信号ランプ光源構造は、ヒートシンクを含み、前記ヒートシンクのヒートシンク効果により、発光ユニットが発生する動作熱を排出し、単一発光ユニットを利用し信号発光源とするだけではなく、前記発光ユニットの発光効率および使用寿命を向上させる。
【考案を実施するための最良の形態】
【００１１】
本考案の好適なヒートシンク型ＬＥＤ信号ランプ発光源構造の実施例を図面を参照して説明する。
図１および図２は、それぞれ、本考案の立体分解説明図および平面組み合わせ図であり、本考案の実施例の信号ランプ構造は、定温板１、発光ユニット２、導熱筒３、ヒートシンク４、蓋体５、被覆体６を含み、そのうち、前記定温板１は、本実施例中において、円盤状を呈し、且つ前記定温板１は、高導熱特性を有する材質により構成され、前記定温板１上には、貫通孔１１を有する；前記発光ユニット２は、前記定温板１上に設置し、本実施例中、前記発光ユニット２は、発光ダイオードであり、且つ前記発光ユニット２と電気接続する導線７（図３参照）は、定温板１の貫通孔１１を経由し電源に外接する。また、前記定温板１の下方には、中空導熱筒３を接続し、定温板１から伝導する熱源を吸収し、前記導熱筒３の下端には、環形凸板３１を設け、且つ前記導熱筒３１の下端面上には、複数の電極コネクタ３２を有し、前記導熱筒３の内部は、導線７を通すことに用い、内部と電極コネクタ３２を電気接続する（公知技術であるので、ここに詳細は記載せず）。
【００１２】
続いて、前記ヒートシンク４は、複数のヒートシンク片４１から組成され、前記導熱筒３の周縁上を囲い、且つ任意の２つのヒートシンク片４１の間にヒートシンク隙間４２を形成し、同時に前記複数のヒートシンク片４１の底部と前記導熱筒３上の凸板３１を接続し、前記複数のヒートシンク片４１は、前記ヒートシンク４を組成した後、前記ヒートシンク４の上部は、同時に円形を呈する陥没空間４３を形成し、前記定温板１を収容し、定温板１の周縁と相互に接続する。
前記蓋体５は、前記定温板１の上方に設置され、前記蓋体５は、中空円盤状を停止、定温板１を蓋体５内部に被覆させることに用い、前記蓋体５の中央位置には、反射溝５１を開設し、発光ユニット２を設ける位置に対応させ、同時に発光ユニット２を前記反射溝５１中に収容させ、且つ前記反射溝５１の周縁に反射面５１１を有し、発光ユニット２が発生する光線を反射することに用いる。最後に、前記被覆体６は、前記蓋体５上に設け、同時に前記発光ユニット２を被覆体６内部に被覆させ、前記被覆体６は、透明カバーであり、発光ユニット２が発生する光線が前記被覆体６を経由して外部透過できるようにする。前記組み合わせの完成図は図２が示すようである。
【００１３】
図３は、本考案の操作説明断面図であり、図からわかるように、本考案の実施例のＬＥＤ信号ランプ組み合わせ完成後は、定温板１上に設けられる発光ユニット２が、電気接続する導線７を経由し電源を提供し、前記発光ユニット２が発生する光線が直接被覆体６から外部へ透出するか、または間接に発光ユニット２周縁の反射面５１１から光を被覆体６の外に反射し、前記信号ランプ構造中の発光源を形成し、前記発光ユニット２が発生する動作熱は、前記定温板１を通して吸収され、前記発光ユニット２が発生する熱蓄積効果を低減させ、その後、前記定温板１は、さらに吸収した動作熱を下方の導熱筒３上に伝導し、最後に導熱筒３と接続するヒートシンク４により冷却作用を行うか、または、定温板１が直接前記動作熱を周縁に接続される複数のヒートシンク片４１に伝導し、冷却を行い、前記発光ユニット２の発光効率および使用寿命を向上させる。
【００１４】
図４および図５は、それぞれ、本考案の実施例の組み付け分解説明図および完成図であり、図からわかるように、本考案のＬＥＤ信号ランプ発光源は、ランプ台８上に設置され、前記ランプ台８は、円盤状を呈し、前記ランプ台８の中央には、収容孔８１を有し、前記ＬＥＤ信号ランプ発光源を組み付けることに用い、同時に前記ランプ台８上にさらに反射板９を接続し、前記反射板９中央にも貫通溝９１を開設し、ランプ台８の収容孔８１の位置に対応させ、最後に、前記ランプ台８は、更に、透明なランプカバー１０に接続し、前記反射板９およびＬＥＤ信号ランプ発光源をランプ台８内部に密封し、その組み合わせ完成図は、図５のようである。
【００１５】
図６は、本考案の実施例の組み込み操作説明断面図であり、図からわかるように、前記ＬＥＤ信号ランプ発光源が発生する光線は、直接前記ランプカバー１０を通過し外部へ明るい光を形成し、同時に反射板９を経由し、ＬＥＤ信号ランプ発光源が発生する光線を屈折射出し、前記信号ランプが発生する明度を強化し、道路を利用する人が、性格に前記信号ランプを識別できるようにし、また、前記ＬＥＤ信号ランプ発光源は、動作時に発生する動作熱は、周囲を囲むヒートシンク４により冷却作用を行うことができ、前記信号ランプが正常温度環境下の使用状態および寿命を確保することができる。
【００１６】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００１７】
【図１】本考案の実施例の立体構造分解図である。
【図２】本考案の実施例立体組み立て図である。
【図３】本考案の実施例操作説明断面図である。
【図４】本考案の実施例の組み立て分解説明図である。
【図５】本考案の実施例の組み立て操作説明断面図である。
【図６】本考案の実施例の組み立て操作説明断面図である。
【符号の説明】
【００１８】
１ 定温板
１１ 貫通孔
２ 発光ユニット
３ 導熱筒
３１ 凸板
３２ 電極コネクタ
４ ヒートシンク
４１ ヒートシンク片
４２  ヒートシンク隙間
４３  陥没空間
５  蓋体
５１  反射溝
５１１  反射面
６  被覆体
７  導線
８  ランプ台
８１  収容孔
９  反射板
９１  貫通孔
１０  ランプカバー
【図１】
0003132455.tif 000003
【図２】
0003132455.tif 000004
【図３】
0003132455.tif 000005
【図４】
0003132455.tif 000006
【図５】
0003132455.tif 000007
【図６】
0003132455.tif 000008